(57)【要約】【課題】肌着の首回りを上衣の形態のごとくにし、肌着が上衣として着用したときにも遜色がないようにする。【解決手段】薄手のニット生地からなる肌着本体２の首回り部３に襟４を設けた。【選択図】図１
2017066573.tif 000002
【特許請求の範囲】
【請求項１】
薄手のニット生地からなる肌着本体の首回り部に襟が設けられていることを特徴とする襟付き肌着。
【請求項２】
上記襟は織物生地からなるものである請求項１に記載の襟付き肌着。
【請求項３】
上記襟はそれぞれニット生地からなる表地と裏地を重ね合わせて縫製されていて、この襟の表地と裏地のニット生地の編み目の連続方向が互いに異なり、かつ前記表地と裏地のニット生地の編み目の連続方向それぞれが、肌着本体のニット生地の編み目の連続方向と交差する方向とされている請求項１に記載の肌着。
【請求項４】
上記襟の肌着本体の首回り部に対応する位置が首回り部伸長防止手段とされ、肌着本体の首回り部に首回り部伸長防止手段を逢着して、前記襟が肌着本体の首回り部の伸長を抑止する構成を有する請求項１から３の何れか一項に記載の襟付き肌着。
【発明の詳細な説明】
【技術分野】
【０００１】
本発明は首回り部に襟を有する肌着に関するものである。
【背景技術】
【０００２】
従来から綿糸などを用いた編物（ニット）からなる肌着においては、首回り部の形状を丸くした丸首と称される形状のものがあるとともに、首回り部の胸元側をＵ型に開いているＵ首と称されるものやＶ型に開いているＶ首と称されるものがあり、また前身頃を左右に分けてボタン掛けにより着用する肌着であって首回り部が左身頃と右身頃とに分かれているものもある（例えば特許文献１、２参照）。
【先行技術文献】
【特許文献】
【０００３】
【特許文献１】意匠登録第１５０９９５２号公報（シャツ）
【特許文献２】意匠登録第１１１１５６８号公報（アンダーシャツ）
【発明の概要】
【発明が解決しようとする課題】
【０００４】
ところで肌着は下衣として着用されることが前提となっており、肌着の首回り部の形態は着易さが優先され、また上衣で隠れる部分であるため、この首回り部はデザイン性に劣るのが現状である。一方、夏場での外気温が高い屋外においては上半身に肌着のみを着ることが暑さ対策の一つとなる場合があるが、肌着のみの装いが上衣として認められ難く、ドレスコードのような服装マナーが求められるようなところでは肌着のみでの入室、入場が困難になるという問題がある。
【０００５】
そこで本発明は肌着の首回りを上衣の形態のごとく見えるようにすることを課題とし、肌着が上衣として着用したときにも遜色がないようにすることを目的とするものである。
【課題を解決するための手段】
【０００６】
（請求項１の発明）
本発明は上記課題を考慮してなされたもので、薄手のニット生地からなる肌着本体の首回り部に襟が設けられていることを特徴とする襟付き肌着を提供して、上記課題を解決するものである。
【０００７】
（請求項２の発明）
そして、本発明は、上記襟は織物生地からなるものであることが良好である。
【０００８】
（請求項３の発明）
また、本発明は、上記襟はそれぞれニット生地からなる表地と裏地を重ね合わせて縫製されていて、この襟の表地と裏地のニット生地の編み目の連続方向が互いに異なり、かつ前記表地と裏地のニット生地の編み目の連続方向それぞれが、肌着本体のニット生地の編み目の連続方向と交差する方向とされていることが良好である。
【０００９】
（請求項４の発明）
さらに、本発明は、上記襟の肌着本体の首回り部に対応する位置が首回り部伸長防止手段とされ、肌着本体の首回り部に首回り部伸長防止手段を逢着して、前記襟が肌着本体の首回り部の伸長を抑止する構成を有することが良好である。
【発明の効果】
【００１０】
（請求項１の発明の効果）
請求項１の発明によれば、首回り部に襟を備えるため、肌着のデザイン性が向上して上衣の形態に見えるようになるという効果を奏する。
【００１１】
（請求項２の発明の効果）
請求項２の発明によれば、襟が型崩れし難くなるという効果を奏する。
【００１２】
（請求項３の発明の効果）
請求項３の発明によれば、肌着本体の生地と襟の生地との風合いの連続性を簡単に保つことができるという効果を奏する。
【００１３】
（請求項４の発明の効果）
請求項４の発明によれば、襟によって肌着本体の首回り部の伸びが抑えられて、肌着本体の見栄えを維持できるという効果を奏する。
【図面の簡単な説明】
【００１４】
【図１】本発明に係る襟付き肌着の第一の例を示す説明図である。
【図２】同じく第二の例を示す説明図である。
【図３】第一の例における襟を編物生地からなるものとした変形の例を示す説明図である。
【図４】第二の例における襟を編物生地からなるものとした変形の例を示す説明図である。
【発明を実施するための形態】
【００１５】
つぎに本発明を図示の実施の例に基づいて説明する。図１は第一の例を示していて、符号１は襟付き肌着であり、該肌着１の肌着本体２は綿糸を用いた編物とした薄手のニット生地からなる半袖の形態とされているものである。
【００１６】
上記肌着本体２の首回り部３は図１に示されているように前身頃側を略Ｖ字状として、この首回り部３には襟４が取り付けられている。前記襟４は例えば綿糸を用いた織物生地からなるものであり、襟生地を後ろ身頃から前身頃側に亘って折り返しして前身頃の左右に襟羽５が下がる形状に設けられていて、オープンカラー状のスタイルを呈するようにしている。
【００１７】
この実施の例での襟４は上述したように織物生地からなるものとして、一層のニット生地（編物生地）からなる上記肌着本体２に比して伸長性が小さくされており、襟の素材自体でこの襟４の肌着本体２の首回り部３に対応する位置を首回り部伸長防止手段６としていて、首回り部２に前記首回り部伸長防止手段６を逢着することによって、前述したように襟４が首回り部３に取り付けられて一体としている。
【００１８】
従来の肌着にあっては肌着の脱ぎ着を繰り返えすことで首回り部が伸び易いものであったが、このように首回り部３に首回り部伸長防止手段６を逢着しているので、首回り部３自体が伸び難くなり、この首回り部伸長防止手段６を有する襟４にて首回り部３の伸長を抑止して肌着の型崩れを防止する。
【００１９】
また図２は第二の例を示している。この例では、肌着本体２の首回り部３は前身頃側を広目の略Ｕ状としていてこの部分に襟４が取り付けられている。そして前記襟４は、首回り部３での後ろ身頃から胸元側に亘って漸次襟生地の高さ寸法を小さくし、前身頃中央部分の位置で重ね合わせられていて、スタンドカラー状のスタイルを呈するようにしたものである。
【００２０】
この第二の例においても襟４が織物生地からなるものとされていることから、襟４の肌着本体２の首回り部３に対応する位置を首回り部伸長防止手段６とし、首回り部２に前記首回り部伸長防止手段６を逢着して、この襟４によって首回り部３の伸長を抑止して肌着の型崩れを防止する。
【００２１】
上記実施の例における襟４は同じ織物生地である表地４ａと裏地４ｂとを重ねて辺部を縫製したものであり、上記オープンカラーのタイプのものにあっては襟４の台襟となる部分の内側にも表地４ａが回り込む形となるようにしている。
【００２２】
上記肌着本体２は編物生地は緯編みの平編（天竺）であり、緯編みの編み目の連続方向をＸで示している。そして図３と図４とは上記実施の例での襟４における表地４ａと裏地４ｂとを共に緯編みの平編とされた編物生地としてなる例を示している。
【００２３】
そして、図３と図４とに示す例にあっては、襟４の表地４ａと裏地４ｂとがそれぞれの編み目の連続方向Ｙ、Ｚを同一とせずに交差させて縫製されている。このように編み目の連続方向を交差させて縫製して表地４ａと裏地４ｂとの伸長性を互いに抑止しており、これによって首回り部伸長防止手段６を構成している。さらに表地４ａと裏地４ｂとの編み目の前記連続方向Ｙ、Ｚそれぞれを、肌着本体２の編み目の連続方向Ｘに交差させる方向としており、首回り部伸長防止手段６の効果をより高めることができる。
【符号の説明】
【００２４】
１…肌着
２…肌着本体
３…首回り部
４…襟
５…襟羽
６…首回り部伸長防止手段
Ｘ…肌着本体の緯編みされた織物生地の編み目の連続方向
Ｙ…表地の緯編みされた織物生地の編み目の連続方向
Ｚ…裏地の緯編みされた織物生地の編み目の連続方向
【図１】
2017066573.tif 000003
【図２】
2017066573.tif 000004
【図３】
2017066573.tif 000005
【図４】
2017066573.tif 000006